(57)【要約】    【課題】媒体に入れて受け渡した個人情報などの秘密情報の取り扱いを媒体の返却を受けた際に確認可能として不正利用や情報漏洩を確実に防止する。    【解決手段】情報受け渡しのためのメモリカード装置１０は、記憶部５４に提供元装置１２から転送された個人情報６４、個人情報監視プログラム６６及び終了処理プログラム６８を記憶する。情報転送部５６は利用先装置１４と接続して利用開始要求を受けた際に、個人情報６４を転送する。情報監視部５８は個人情報の転送後に個人情報監視プログラム６６を利用先装置１４に転送して実行させ、個人情報６４の利用履歴情報７０−２を生成して保存させる。終了処理部６２は、利用先装置１４と接続して利用終了要求を受けた際に、個人情報６４と終了処理プログラム６８を利用先装置１４に転送し、終了処理プログラム６８を実行させ、装置内に残っている個人情報を削除した後、利用履歴情報７０−２を読出し転送させ、最終的に個人情報監視プログラム６６と終了処理プログラム６８を削除させる。    【選択図】      図４
2008217390.tif 000002
【特許請求の範囲】
【請求項１】
提供元装置から転送された利用情報を記憶する記憶部と、
利用先装置に接続した状態で利用開始要求を受信した際に、前記利用情報を前記利用先装置に転送する情報転送部と、
前記利用情報を利用先装置に転送した後に、前記利用先装置に前記利用情報の利用を監視させて利用履歴情報を記憶する処理を実行させる情報監視部と、
前記利用先装置に接続した状態で利用終了要求を受信した際に、前記利用先装置に前記利用情報を削除させた後に前記利用履歴情報を読出し転送する処理を実行させる終了処理部と、
外部装置との間で情報を送受信する無線通信モジュールと、
前記提供元装置から通信要求を受信した際に、現在の位置情報を外部の位置情報サービス装置から入手して送信する位置情報監視部と、
を備えたことを特徴とする情報受け渡し装置。
【請求項２】
請求項１記載の情報受け渡し装置に於いて、
前記記憶部は、更に、前記提供元装置から転送された情報監視プログラム及び終了処理プログラムを記憶し、
前記情報監視部は、前記情報監視プログラムを利用先装置に転送して実行させることにより、前記利用情報の利用を監視して利用履歴情報を記憶し、
前記終了処理部は、前記利用情報と共に前記終了処理プログラムを前記利用先装置に転送して実行させることにより、前記利用情報を削除し、前記利用履歴情報を読出し転送し、更に前記情報監視プログラムを削除することを特徴とする情報受け渡し装置。
【請求項３】
請求項１記載の情報受け渡し装置に於いて、前記利用情報は個人情報を含むことを特徴とする情報受け渡し装置。
【請求項４】
請求項１記載の情報受け渡し装置に於いて、前記情報受け渡し装置は、入出力インタフェース、無線通信モジュール、プロセッサ及びメモリを備えたメモリカード装置、無線通信モジュールを備えたコンピュータ装置、無線通信モジュールを備えたＰＤＡ装置、携帯電話装置、又は携帯型の磁気ディスク装置を含むことを特徴とする情報受け渡し装置。
【請求項５】
請求項２記載の情報受け渡し装置に於いて、前記終了処理部は、前記終了処理プログラムを前記利用先装置に転送して実行させることにより、転送された前記利用情報を利用先装置の内部情報と比較し、前記利用情報に一致する内部情報に無効情報を埋め込むことにより削除することを特徴とする情報受け渡し装置。
【請求項６】
提供元装置から利用先装置との間で情報を受け渡す無線通信モジュールを備えた装置の情報受け渡し方法に於いて、
提供元装置から転送された利用情報を記憶する記憶ステップと、
利用先装置に接続した状態で利用開始要求を受信した際に、前記利用情報を前記利用先装置に転送する情報転送ステップと、
前記利用情報を利用先装置に転送した後に、前記利用先装置に前記利用情報の利用を監視して利用履歴情報を記憶する処理を実行させる情報監視ステップと、
前記利用先装置に接続した状態で利用終了要求を受信した際に、前記利用先装置に前記利用情報を削除した後に前記利用履歴情報を読出して転送する処理を実行させる終了処理ステップと、
前記提供元装置から通信要求を受信した際に、現在の位置情報を外部の位置情報サービス装置から入手して送信する位置情報監視ステップと、
を備えたことを特徴とする情報受け渡し方法。
【請求項７】
提供元装置から利用先装置との間で利用情報を受け渡す無線通信モジュールを備えた装置のコンピュータを、
提供元装置から転送された利用情報を記憶する記憶部、
利用先装置に接続した状態で利用開始要求を受信した際に、前記利用情報を前記利用先装置に転送する情報転送部、
前記利用情報を利用先装置に転送した後に、前記利用者装置に前記利用情報の利用を監視して利用履歴情報を記憶する処理を実行させる情報監視部、
前記利用先装置に接続した状態で利用終了要求を受信した際に、前記利用先装置に前記利用情報を削除した後に前記利用履歴情報を読出して転送する処理を実行させる終了処理部、
前記提供元装置から通信要求を受信した際に、現在の位置情報を外部の位置情報サービス装置から入手して送信する位置情報監視部、
として機能させるための情報受け渡しプログラム。
【請求項８】
提供元装置から利用先装置との間で利用情報を受け渡す無線通信モジュールを備えた装置のコンピュータを、
提供元装置から転送された利用情報を記憶する記憶部、
利用先装置に接続した状態で利用開始要求を受信した際に、前記利用情報を前記利用先装置に転送する情報転送部、
前記利用情報を利用先装置に転送した後に、前記利用先装置に前記利用情報の利用を監視して利用履歴情報を記憶する処理を実行させる情報監視部、
前記利用先装置に接続した状態で利用終了要求を受信した際に、前記利用先装置に前記利用情報を削除した後に前記利用履歴情報を読出し転送する処理を実行させる終了処理部、
前記提供元装置から通信要求を受信した際に、現在の位置情報を外部の位置情報サービス装置から入手して送信する位置情報監視部、
として機能させるための情報受け渡しプログラムを格納したことを特徴とするコンピュータ可読な記憶媒体。
【発明の詳細な説明】
【技術分野】
【０００１】
本発明は、提供元装置と利用先装置との間で個人情報などの利用情報を受け渡す情報受け渡し装置、方法、プログラム及び記憶媒体に関し、特に、利用先装置が不特定であっても利用情報を適切に管理可能とするための情報受け渡し装置、方法、プログラム及び記憶媒体に関する。
【背景技術】
【０００２】
従来、情報処理システムで利用する個人情報の受け渡しは、確実性を期すために、データを暗号化してＣＤ−ＲＯＭ等の記憶媒体に入れ、手渡しで行っている。受け渡し後のデータの取り扱いは、確認書等により、データの取り扱いルールを決めているだけであり、実際にどのように扱われているかが確認できない。
【０００３】
このような受け渡し後のデータの取り扱いを確認するため、データキャリアのアクセス履歴管理システムが知られている（特許文献１）。このアクセス履歴管理システムは、データキャリアがアクセスされた場合、そのデータキャリアが搭載された通信端末装置から、アクセス時刻情報と、その時刻における通信端末装置の位置情報を管理サーバに送って管理している。
【０００４】
またパーソナルコンピュータ内の利用情報を監視するシステムとして、例えば富士通株式会社から商品名「ＦＥＮＣＥ」が提供されている。このシステムは、情報の利用履歴をパーソナルコンピュータ内に保存し、ネットワーク経由で管理サーバに送り、パーソナルコンピュータの利用履歴を監視しようというものである。またパーソナルコンピュータ内の機能を制限して、外部記憶媒体への書き込みやネットワークからの流出を防止する機能も備えている。
【０００５】
また個人情報流通管理として、個人情報、個人情報開示規定及び開示利用規定判断手段をまとめて一つの個人情報カプセルとし、どのような利用環境であっても、情報を提供した主体の意図する開示利用規則に基づいた個人情報の開示制御を行う方法も知られている（特許文献２）。
【特許文献１】特開２００６−１１４９６０号公報
【特許文献２】特開２００３−３４５９３１号公報
【発明の開示】
【発明が解決しようとする課題】
【０００６】
しかしながら、このような従来の個人情報の利用管理にあっては、ネットワークを介して管理サーバに接続された特定の利用先装置についてのみ受け渡した個人情報などの取り扱い状況を確認することができるだけであり、管理サーバと接続関係にない利用先装置については、受け渡した後に、個人情報がどのように使われているか、確認する方法がなく、個人情報の入った記憶媒体が返却されても、利用先に個人情報が削除されずに残っていたり、取り扱いルールを外れた個人情報のコピーなどがあっても、提供元では取り扱い状況を把握することができないという問題がある。
【０００７】
また個人情報の入った媒体を紛失したり、盗難にあったような場合には、手の打ちようがなく、利用先の受け渡した個人情報の適切な管理が困難な状況にある。
【０００８】
本発明は、媒体等に入れて受け渡した個人情報などの利用情報の返却を受けた際に利用状況を確認可能として不正利用や情報漏洩を確実に防止する情報受け渡し装置、方法、プログラム及び記憶媒体を提供することを目的とする。
【課題を解決するための手段】
【０００９】
（装置）
本発明は情報受け渡し装置を提供する。本発明の情報受け渡し装置は、
提供元装置から転送された個人情報などの利用情報を記憶する記憶部と、
利用先装置に接続した状態で利用開始要求を受信した際に、利用情報を前記利用先装置に転送する情報転送部と、
利用情報を利用先装置に転送した後に、利用先装置に利用情報の利用を監視して利用履歴情報を記憶する処理を実行させる情報監視部と、
利用先装置に接続した状態で利用終了要求を受信した際に、利用先装置に利用情報を削除した後に利用履歴情報を読出し転送する処理を実行させる終了処理部と、
利用先装置に接続した際に、位置情報を取得して記憶する位置情報監視部と、
外部装置との間で情報を送受信する無線通信モジュールと、
提供元装置から通信要求を受信した際に、現在の位置情報を外部の位置情報サービス装置から入手して送信する位置情報監視部と、
を備えたことを特徴とする。
【００１０】
ここで、記憶部は、情報提供装置から転送された情報監視プログラム及び終了処理プログラムを更に記憶し、
情報監視部は、情報監視プログラムを利用先装置に転送して実行させることにより、利用情報の利用を監視して利用履歴情報を記憶し、
終了処理部は、利用情報と共に終了処理プログラムを利用先装置に転送して実行させることにより、利用情報を削除し、利用履歴情報を読出した転送と、更に情報監視プログラムを削除する。
【００１１】
本発明の情報受け渡し装置は、入出力インタフェース、無線通信モジュール、プロセッサ及びメモリを備えたメモリカード装置、無線通信モジュールを備えたコンピュータ装置、無線通信モジュールを備えたＰＤＡ装置、携帯電話装置、又は携帯型の磁気ディスク装置を含む。
【００１２】
利用情報は自己解凍のデータ形式で記憶され、利用先装置での利用操作に伴い自動解凍される。
【００１３】
終了処理部は、終了処理プログラムを利用先装置に転送して実行させることにより、転送された個人情報を利用先装置の内部情報と比較し、個人情報に一致する内部情報に無効情報を埋め込むことにより削除させる。
【００１４】
（方法）
本発明は情報受け渡し方法を提供する。本発明は、提供元装置から利用先装置との間で個人情報などの利用情報を受け渡す無線通信モジュールを備えた装置の情報受け渡し方法に於いて、
提供元装置から転送された利用情報を記憶する記憶ステップと、
利用先装置に接続した状態で利用開始要求を受信した際に、利用情報を利用先装置に転送する情報転送ステップと、
利用情報を利用先装置に転送した後に、利用先装置に利用情報の利用を監視して利用履歴情報を記憶する処理を実行させる情報監視ステップと、
利用先装置に接続した状態で利用終了要求を受信した際に、利用先装置に利用情報を削除した後に利用履歴情報を読出して転送する処理を実行させる終了処理ステップと、
提供元装置から通信要求を受信した際に、現在の位置情報を外部の位置情報サービス装置から入手して送信する位置情報監視ステップと、
を備えたことを特徴とする。
【００１５】
（プログラム）
本発明は情報受け渡しプログラムを提供する。本発明の情報受け渡しプログラムは、提供元装置から利用先装置との間で個人情報などの利用情報を受け渡す無線通信モジュールを備えた装置のコンピュータを、
提供元装置から転送された利用情報を記憶する記憶部、
利用先装置に接続した状態で利用開始要求を受信した際に、利用情報を前記利用先装置に転送する情報転送部、
前記利用情報を利用先装置に転送した後に、利用先装置に利用情報の利用を監視して利用履歴情報を記憶する処理を実行させる情報監視部、
利用先装置に接続した状態で利用終了要求を受信した際に、利用先装置に利用情報を削除した後に利用履歴情報を読出して転送する処理を実行させる終了処理部、
提供元装置から通信要求を受信した際に、現在の位置情報を外部の位置情報サービス装置から入手して送信する位置情報監視部、
として機能させる。
【００１６】
（記憶媒体）
本発明は情報受け渡しプログラムを格納したコンピュータ可読な記憶媒体を提供する。本発明の記憶媒体は、提供元装置から利用先装置との間で個人情報などの利用情報を受け渡す無線通信モジュールを備えた装置のコンピュータを、
提供元装置から転送された利用情報を記憶する記憶部、
利用先装置に接続した状態で利用開始要求を受信した際に、利用情報を利用先装置に転送する情報転送部、
利用情報を利用先装置に転送した後に、利用先装置に利用情報の利用を監視して利用履歴情報を記憶する処理を実行させる情報監視部、
利用先装置に接続した状態で利用終了要求を受信した際に、利用先装置に利用情報を削除した後に利用履歴情報を読出して転送する処理を実行させる終了処理部、
提供元装置から通信要求を受信した際に、現在の位置情報を外部の位置情報サービス装置から入手して送信する位置情報監視部、
として機能させるための情報受け渡しプログラムを格納したことを特徴とする。
【発明の効果】
【００１７】
本発明によれば、利用情報として例えば個人情報を入れて利用先に引渡す情報引渡し装置そのものに、利用先装置において個人情報の利用履歴情報を作成記憶させる機能をもたせ、利用終了時に利用履歴情報を回収して記憶し、提供元に返却した際に、記憶している利用履歴情報を見せることで、受け渡し先での取り扱いを確認可能とし、取り扱いルールを外れた個人情報のコピーや漏洩などがあれば、適切な対応策をとることができる。
【００１８】
また利用終了時には利用先装置に個人情報が残っているか否か確認し、残っていた場合には無効データの埋込みにより削除しており、返却後に残っている個人情報を不正に利用したり、漏洩してしまうことを確実に防止できる。
【００１９】
更に、情報受け渡し装置を紛失したり、盗難にあったような場合には、提供元装置から対象となった装置に通信要求を行うことで、外部の位置情報サービスサイトから入手した現在の位置情報を受信することができ、この位置情報から紛失又は盗難にあった情報受け渡し装置を探し出す手がかりを得ることができる。
【発明を実施するための最良の形態】
【００２０】
図１は本発明による情報受け渡し装置としてメモリカード装置を用いた実施形態を示した説明図である。図１において、メモリカード装置１０は、提供元装置１２に接続することで利用情報として例えば個人情報を記憶した後、利用先装置１４に接続することで、記憶している個人情報を利用先装置１４に転送して利用させることができる。
【００２１】
図２は図１のメモリカード装置のハードウェア構成を示したブロック図である。図２において、メモリカード装置１０にはＣＰＵ１６が設けられ、ＣＰＵ１６のバス１８に、ＲＡＭ２０、ＲＯＭ２２、インタフェースコネクタ２６を備えたインタフェースアダプタ２４、更に無線通信モジュールとして機能するＰＨＳモジュール２８を接続している。またメモリカード装置１０にはバッテリー電源部３０が設けられている。
【００２２】
図３は図１の利用先装置のハードウェア構成を示したブロック図であり、利用先装置１４は通常のパーソナルコンピュータが一般的である。図３において、利用先装置１４にはＣＰＵ３２が設けられ、ＣＰＵ３２のバス３４に対し、ＲＡＭ３６、ＲＯＭ３８、ハードディスクドライブ４０、キーボード４４，マウス４６，ディスプレイ４８を接続するデバイスインタフェース４２、及びネットワークアダプタ５０が接続されている。
【００２３】
図４は本実施形態のメモリカード装置の機能構成を示したブロック図である。図４において、本実施形態のメモリカード装置１０は、制御部５２、記憶部５４及びＰＨＳモジュール２８を備えている。
【００２４】
制御部５２は、図２のＣＰＵ１６によりＲＡＭ２０にＲＯＭ２２から読み出し配置されたプログラムを実行することにより実現される機能であり、実質的には提供元装置１２と利用先装置１４に対する入出力制御が中心となる。また記憶部５４は図２のＲＡＭ２０により実現される機能である。
【００２５】
制御部５２には、情報転送部５６、情報監視部５８、終了処理部６０及び位置情報監視部６２の機能が設けられている。また記憶部５４には、個人情報６４、個人情報監視プログラム６６、終了処理プログラム６８、利用履歴情報７０及び位置情報７２が格納されている。
【００２６】
メモリカード装置１０を提供元装置１２に接続した際には、記憶部５４に対し個人情報６４、個人情報監視プログラム６６及び終了処理プログラム６８が転送されて記憶される。ここで、提供元装置１２から転送記憶された個人情報６４は自己解凍形式の暗号化データとしている。
【００２７】
制御部５２に設けた情報転送部５６は、メモリカード装置１０を利用先装置１４に接続した状態で利用先装置１４から個人情報開始要求を受信した際に、個人情報６４を読み出して利用先装置１４に転送して記憶するコピー処理を行う。利用先装置１４にコピーされた個人情報６４は、利用先装置１４にコピーされた段階で自動的に自己解凍され、利用可能となる。
【００２８】
情報監視部５８は、個人情報６４の転送に同期して個人情報監視プログラム６６を利用先装置１４に読出し転送してコピーし、個人情報監視プログラム６６を利用先装置１４で実行させることで、個人情報６４の利用を監視し、利用履歴情報を生成して記憶する処理を実行させる。
【００２９】
終了処理部６０は、メモリカード装置１０を利用先装置１４に接続した状態で利用先装置１４から利用終了要求を受信した際に、利用先装置１４に終了処理プログラム６８を読み出して転送してコピーし、終了処理プログラム６８を利用先装置１４で実行させることで、利用先装置１４に残っている個人情報を削除した後に、保存している利用履歴情報を読み出して記憶部５４に利用履歴情報７０として記憶し、更に利用先装置１４に入れている個人情報監視プログラム６６及び終了処理プログラム６８を削除する処理を実行させる。
【００３０】
位置情報監視部６２は、メモリカード装置１０を利用先装置１４に接続した際に、ＰＨＳモジュール２８を使用して外部の位置情報サービスサイトなどにアクセスし、現在の位置情報、例えば緯度経度等を取得して記憶部５４に位置情報７２として記憶する。
【００３１】
この位置情報監視部６２の機能は、メモリカード装置１０の図２のＲＯＭ２２に予め記憶している位置情報監視プログラムをＣＰＵ１６により実行することで実現される機能である。
【００３２】
図５は提供元装置１２からメモリカード装置１０に個人情報を入れる場合の処理機能を示した説明図である。図５において、提供元装置１２は利用先装置１４と同様なパーソナルコンピュータであり、制御部７４と記憶部７６を備え、記憶部７６にはメモリカード装置１０に引き渡す個人情報６４−１が自己解凍型の暗号化データとして格納され、更に個人情報監視プログラム６６−１と終了処理プログラム６８−１が格納されている。
【００３３】
このような提供元装置１２からメモリカード装置１０に個人情報を入れる際には、提供元装置１２に対しメモリカード装置１０をインタフェース信号線７８で接続し、この状態で、提供元装置１２のユーザ操作により、記憶部７６の個人情報６４−１、個人情報監視プログラム６６−１及び終了処理プログラム６８−１をメモリカード装置１０に書込み転送する。
【００３４】
これによってメモリカード装置１０の記憶部５４に、個人情報６４、個人情報監視プログラム６６及び終了処理プログラム６８が転送記憶される。もちろん、メモリカード装置１０の記憶部５４に記憶された個人情報６４は自己解凍形式の暗号化データである。
【００３５】
図６はメモリカード装置１０から利用先装置１４に個人情報を受け渡す場合の処理機能を示した説明図である。図６において、図５のように提供元装置１２から個人情報を入れたメモリカード装置１０を、利用先装置１４に対しインタフェース信号線９２により接続する。
【００３６】
利用先装置１４は図３に示したように通常のパーソナルコンピュータであることから、メモリカード装置１０をインタフェース信号線９２により接続すると、制御部７８を実現するＯＳの処理機能により外部デバイスの接続を認識し、メモリカード装置１０に対応したドライバを動作し、例えば図７（Ａ）のウィンドウズ（Ｒ）におけるマイコンピュータ画面９４に示すように、新たに接続したメモリカード装置１０を「リムーバブル記憶領域のあるデバイス」の１つとしてデバイスマーク９５を追加的に表示し、このデバイスマーク９５には「情報受け渡し装置（Ｆ）」が併せて表示される。
【００３７】
このため利用先装置１４でメモリカード装置１０から個人情報を取り込んで利用するユーザは、図７（Ａ）のマイコンピュータ画面９４のデバイスマーク９５をクリックする。このデバイスマーク９５のマウスクリックにより、例えば図７（Ｂ）に示すような情報受け渡しフォルダ画面９６を開くことができる。情報受け渡しフォルダ画面９６には個人情報利用開始フォルダ９８と個人情報利用終了フォルダ１００が表示されている。
【００３８】
メモリカード装置１０から個人情報を取り込んで利用する際には、個人情報利用開始フォルダ９８をマウスクリックする。個人情報利用開始フォルダ９８をマウスクリックすると、利用先装置１４からメモリカード装置１０に対し利用開始要求がコマンド形式で送られる。
【００３９】
この利用開始要求のコマンドは、具体的には図６の記憶部５４の個人情報６４と個人情報監視プログラム６６を読出し転送して、記憶部８０に個人情報６４−２及び個人情報監視プログラム６６−２としてコピーするコピー処理コマンドである。
【００４０】
具体的には、図６の情報転送部５６により、利用先装置１４からの利用開始要求に対する個人情報６４の読出し転送によるコピー処理が実行され、これに続いて、情報監視部５８により情報監視プログラム６６を読み出して転送するコピー処理が同期的に実行されることになる。
【００４１】
メモリカード装置１０から利用先装置１４の記憶部８０にコピーされた個人情報６４−２は、コピー後に自動解凍され、利用先装置１４において利用可能となる。また個人情報監視プログラム６６−２は、コピー後に自動インストールが行われて実行状態となる。個人情報監視プログラム６６−２は、その実行により、個人情報６４−２のコピーを含めて、その後の個人情報６４−２の利用イベントを監視し、利用イベントがあると、利用内容を示す利用履歴データを生成し、利用履歴情報７０−２として記憶する。
【００４２】
利用先装置１４の制御部７８には、メモリカード装置１０から転送された個人情報６４−２を利用する処理として、例えばアプリケーション８２、メール処理部８６あるいはコピー処理部９０が存在している。
【００４３】
アプリケーション８２は、個人情報６４−２を例えば印刷ドライバ８４に出力して印刷を行う。またメール処理部８６は、個人情報を添付ファイルなどとしてメール送信部８８により外部に送信する処理を行う。更にコピー処理部９０は、個人情報６４−２をコピーし、別の個人情報を生成することになる。
【００４４】
このようなアプリケーション８２、メール処理部８６及びコピー処理部９０などによる個人情報６４−２を利用するイベントについては、個人情報監視プログラム６６−２が全て監視しており、その利用内容を利用履歴データとして生成して利用履歴情報７０−２に記憶している。
【００４５】
ここで図６のように、メモリカード装置１０から利用先装置１４に接続して個人情報６４−２及び個人情報監視プログラム６６−２をコピーした後については、メモリカード装置１０を利用先装置１４に接続しておく必要はなく、利用先装置１４からメモリカード装置１０を取り外して別途保管しておき、このような取り外し状態にあっても、コピーした個人情報監視プログラム６６−２が利用先装置１４側で実行されて、個人情報６４−２の利用履歴情報７０−２を継続して取得生成することができる。
【００４６】
図８は利用先装置１４での個人情報の利用を終了させる場合の処理機能を示した説明図である。図８において、個人情報６４−２を利用している利用先装置１４でその利用を終了させる場合には、保管しているメモリカード装置１０を、改めて利用先装置１４にインタフェース信号線９２により接続する。
【００４７】
このメモリカード装置１０の利用先装置１４に対する接続で、利用先装置１４は接続したメモリカード装置１０を新たな外部デバイスとして認識し、図７（Ａ）に示したように、マイコンピュータ画面９４を開くと、その中にメモリカード装置１０に対応した装置である「情報受け渡し装置（Ｆ）」を示すデバイスマーク９５が表示される。
【００４８】
そこで、利用終了のためにデバイスマーク９５をマウスクリックすると、図７（Ｂ）の情報受け渡しフォルダ画面９６が開かれる。そして利用終了のために個人情報利用終了フォルダ１００をクリックすると、メモリカード装置１０に対し利用先装置１４から利用終了要求が送られる。
【００４９】
利用先装置１４からの利用終了要求はメモリカード装置１０の終了処理部６０が認識し、記憶部５４に格納している個人情報６４と共に終了処理プログラム６８を利用先装置１４に読出し転送し、記憶部８０に個人情報６４−２及び終了処理プログラム６８−２をコピーする。記憶部８０にコピーされた個人情報６４−２は自己解凍形式の暗号化データであるが、コピー後に自動解凍されて利用可能となる。
【００５０】
ここで、終了処理プログラム６８と同時に個人情報６４もコピーしている理由は、利用先装置１４で個人情報の利用が終わった場合には、記憶部８０の個人情報は削除することが原則となっている。このため利用処理要求を行う際には、記憶部８０にはそれまで使用していた個人情報が残っていないことが原則である。
【００５１】
したがって、利用先装置１４から利用終了要求を受けた際に、メモリカード装置１０の終了処理部６０は、終了処理プログラム６８と同時に個人情報６４を読出し転送して記憶部８０にコピーする。終了処理プログラム６８と共にコピーされた個人情報６４−２は、コピー後に自動解凍され、利用先装置１４に未削除で残っている個人情報を比較処理により検出して削除するために使用される。
【００５２】
即ち、メモリカード装置１０から利用先装置１４にコピーされた終了処理プログラム６８−２は、コピー終了により自動インストールされて実行状態となる。実行状態となった終了処理プログラム６８−２は、まず利用先装置１４内に残っている個人情報を削除する。
【００５３】
即ち、記憶部８０にコピーして解凍した個人情報６４−２を基準データとし、利用先装置１４内に残っている個人情報と比較照合し、利用先装置１４から個人情報６４−２に一致する個人情報がすべて削除されたか否かをチェックする。もし個人情報が残っていた場合には、オールビット０とする無効化データの埋め込みでファイル削除を行う。
【００５４】
利用先装置１４における個人情報の削除が終了すると、記憶部８０から利用履歴情報７０−２を読み出し、メモリカード装置１０に転送し、記憶部５４に利用履歴情報７０としてコピーする。
【００５５】
利用履歴情報７０−２のコピーが終了すると、利用先装置１４に残っている個人情報６４−２、個人情報監視プログラム６６−２、利用履歴情報７０−２を削除した後、終了処理プログラム６８−２自身も削除し、一連の利用終了処理を完了する。
【００５６】
このような利用先装置１４における利用終了処理が終了したならば、メモリカード装置１０を利用先装置１４から取り外し、個人情報の提供元に返却することになる。利用先からメモリカード装置１０の返却を受けた提供元にあっては、図１に示した提供元装置１２に返却されたメモリカード装置１０をインタフェース信号線で接続し、提供元装置１２によりメモリカード装置１０のフォルダを開くと、フォルダの中に利用履歴情報７０が存在することから、これを読み出してコピーすることでメモリカード装置１０の利用履歴情報を回収し、その内容を見ることで、利用先装置１４において個人情報がどのように取り扱われたかを確認することができる。
【００５７】
更に、利用先装置１４側に引き渡したメモリカード装置１０を紛失したり、あるいは盗難にあったような場合には、提供元装置１２側でメモリカード装置１０のＰＨＳアドレスを管理していることから、紛失したメモリカード装置１０のＰＨＳアドレスを使用した位置情報取得のための通信要求を、ＰＨＳ回線を通じて送信する。
【００５８】
この提供元装置１２からの通信要求は、紛失または盗難に遭ったメモリカード装置１０に設けているＰＨＳモジュール２８で受信され、制御部５２に設けた位置情報監視部６２が外部の位置情報サービスサイトなどにアクセスして現在の位置情報、例えば緯度経度等を取得して応答送信し、提供元装置１２で紛失または盗難に遭ったメモリカード装置１０の現在位置を知ることができる。
【００５９】
このように紛失または盗難に遭ったメモリカード装置１０の位置情報を提供元装置１２で取得できるため、紛失または盗難に遭ったメモリカード装置１０を探し出すための十分な手掛かりを得ることができる。
【００６０】
図９は本実施形態におけるメモリカード装置１０の情報受け渡し処理を示したフローチャートであり、図６及び図８を参照して説明すると次のようになる。
【００６１】
図９において、メモリカード装置１０における情報受け渡し処理は、ステップＳ１で利用先装置１４との接続の有無をチェックしており、接続があるとステップＳ２に進み、位置情報監視プログラムの実行により実現される位置情報監視部６２の機能により位置情報サービスサイトなどから位置情報を取得して、記憶部５４に位置情報７２を保存する。
【００６２】
続いてステップＳ３で、例えば図７（Ｂ）に示したような情報受け渡しフォルダ画面９６の個人情報利用開始フォルダ９８のクリックに伴う利用開始要求を受信すると、ステップＳ４で個人情報６４及び個人情報監視プログラム６６を利用先装置１４の記憶部８０にコピーし、これによって利用先装置１４で個人情報６４−２は自動解凍されて利用可能状態となり、同時に個人情報監視プログラム６６−２が実行されて利用履歴情報の生成保存が可能となる。
【００６３】
またステップＳ５にあっては、利用先装置１４からの利用終了の有無をチェックしている。利用先装置１４において、例えば図７（Ｂ）の情報受け渡しフォルダ画面９６に表示している個人情報利用終了フォルダ１００のクリックに伴い利用終了要求が受信されると、ステップＳ６に進み、図８に示したように、個人情報６４と終了処理プログラム６８を利用先装置１４にコピーして、記憶部８０に個人情報６４−２及び終了処理プログラム６８−２として記憶し、個人情報６４−２は自動解凍により利用可能となり、同時に終了処理プログラム６８−２が実行されて、利用先装置１４側で利用終了処理を行わせることになる。
【００６４】
続いてステップＳ７で終了処理に伴い利用先装置１４から利用履歴情報の書込み要求の有無をチェックしており、書込み要求があると、ステップＳ８で利用履歴情報を受信して記憶部５４に利用履歴情報７０として書き込む。
【００６５】
またステップＳ９にあっては、図５に示したような利用元装置１２との接続の有無をチェックしている。ステップＳ９で利用元装置１２との接続が判別されると、ステップＳ１０に進み、利用履歴情報の読出し要求の有無をチェックしており、読出し要求があると、ステップＳ１１に進み、保存している利用履歴情報を読出し転送することになる。
【００６６】
更にステップＳ１２にあっては、利用元装置１２からの位置情報の通信要求の有無をチェックしており、ＰＨＳモジュール２８から位置情報の通信要求の受信出力が得られると、ステップＳ１３に進み、ＰＨＳモジュール２８を使用して外部の位置情報サービスサイトなどにアクセスして現在の位置情報、例えば緯度経度等を取得し、取得した位置情報をＰＨＳモジュール２８により提供元装置１２に無線送信する。
【００６７】
このようなステップＳ１〜Ｓ１３の処理を、ステップＳ１４で、図２に示したように内蔵しているバッテリー電源部３０の消耗に伴う電源電圧の低下を判別した際のパワーダウンによる停止指示があるまで繰り返す。
【００６８】
図１０は本実施形態における利用先装置の情報利用処理を示したフローチャートであり、図６及び図８を参照して説明すると次のようになる。
【００６９】
図１０において、情報利用先処理は、ステップＳ１で情報受け渡し装置であるメモリカード装置１０の接続の有無をチェックしており、接続があるとステップＳ２に進み、利用先装置１４のＯＳがハードウェアの追加登録を行い、図７に示したようなマイコンピュータ画面９４のデバイスマーク９５と、それを展開した情報受け渡しフォルダ画面９６が作成される。
【００７０】
続いてステップＳ３で、図７（Ｂ）のマイコンピュータ画面９４のデバイスマーク９５のマウスクリックによるドライブ選択の有無をチェックしている。ドライブ選択があるとステップＳ４に進み、図７（Ｂ）の情報受け渡しフォルダ画面９６を表示し、続いてステップＳ５で個人情報利用開始フォルダ９８のオープンの有無をチェックしている。
【００７１】
個人情報利用開始フォルダ９８がオープンすると、ステップＳ６に進み、メモリカード装置１０に利用開始要求を送信し、これによって、ステップＳ７でメモリカード装置１０から個人情報６４と個人情報監視プログラム６６を受信して記憶部８０にコピーして、個人情報６４−２及び個人情報監視プログラム６６−２を保存する。続いてステップＳ８で個人情報６４−２を自動解凍して使用可能とする同時に、情報監視プログラムを実行状態とする。
【００７２】
続いてステップＳ９で利用終了フォルダをオープンしたか否かチェックしている。利用先装置１４で個人情報の利用が終了すると、図７（Ｂ）の個人情報利用終了フォルダ１００をクリックしてオープンすることから、この個人情報利用終了フォルダ１００のオープンを判別するとステップＳ１０に進み、メモリカード装置１０に対し利用終了要求を送信する。
【００７３】
続いてステップＳ１１でメモリカード装置１０から送られてきた個人情報６４−２と終了処理プログラム６８−２を記憶部８０に受信して保存するコピー処理を行い、ステップＳ１２で個人情報６４−２を自動解凍して利用可能とすると同時に、終了処理プログラム６８−２を実行状態とする。このようなステップＳ１〜Ｓ１２の処理を、ステップＳ１３でメモリカード装置１０の接続解除を判別するまで繰り返している。
【００７４】
図１１は利用先装置で実行される情報監視処理のフローチャートであり、図６のようにメモリカード装置１０から利用先装置１４にコピーされた個人情報監視プログラム６６−２の実行により実現される処理機能である。
【００７５】
図１１において、情報監視処理は、ステップＳ１で個人情報の利用イベントの有無をチェックしている。この個人情報の利用イベントは、利用先装置１４の制御部７８におけるアプリケーション８２の印刷処理、メール処理部８６によるメール送信、コピー処理部９０によるコピー処理などである。
【００７６】
利用イベントが判別されると、ステップＳ２に進み、利用履歴情報を生成して保存する。このようなステップＳ１，Ｓ２の処理を、ステップＳ３で終了処理プログラム６８の実行により個人情報管理プログラムが削除される実行終了まで繰り返す。
【００７７】
図１２は利用先装置で実行される終了処理のフローチャートであり、図８のようにメモリカード装置１０から利用先装置１４にコピーされた終了処理プログラム６８−２の実行により実現される処理機能である。
【００７８】
図１２において、終了処理は、ステップＳ１で解凍した個人情報と装置内のデータを比較し、ステップＳ２で未削除の個人情報があれば、ステップＳ３に進み、装置内の個人情報をオール零の埋め込みで削除する。
【００７９】
続いてステップＳ４で利用履歴情報７０−２を読み出して、情報受け渡し装置であるメモリカード装置１０にコピーする。最終的にステップＳ５で、比較に使用した個人情報６４−２、情報監視プログラム６６−２及び終了処理プログラム６８−２自身を削除し、一連の終了処理を完了する。
【００８０】
図１３は情報受け渡し装置としてパーソナルコンピュータを用いた他の実施形態を示した説明図である。図１３において、提供元装置１２及び利用先装置１４は図１の実施形態と同じであるが、この実施形態の情報受け渡し装置として、無線通信モジュールを備えたパーソナルコンピュータ１０２を使用している。
【００８１】
パーソナルコンピュータ１０２のハードウェアは図３の利用先装置１４にＰＨＳモジュールを追加したものであり、これによって基本的には図２のメモリカード装置１０と同じハードウェア構成である。
【００８２】
このハードウェアを対象に図４に示すメモリカード装置１０と同じ機能、即ちＰＨＳモジュール２８、制御部５２及び記憶部５４を持ち、制御部５２に情報転送部５６、情報監視部５８、終了処理部６０及び位置情報監視部６２を設け、記憶部５４には個人情報６４、個人情報監視プログラム６６、終了処理プログラム６８、利用履歴情報７０及び位置情報７２を、情報利用状態に応じて記憶する形態をそのまま適用することができる。
【００８３】
図１４は情報受け渡し装置として無線通信モジュール付きのＰＤＡ１０４を用いた他の実施形態を示した説明図である。図１４において、提供元装置１２及び利用先装置１４は図１の実施形態と同じであり、無線通信モジュール付きのＰＤＡ１０４には、例えば図２のメモリカード装置１０の場合と同様、ＰＨＳモジュール２８が組み込まれており、これによって図４に示したメモリカード装置１０と同じ機能を備えることができる。
【００８４】
図１５は情報受け渡し装置として携帯電話を用いた他の実施形態を示した説明図である。図１５において、提供元装置１２及び利用先装置１４は図１の実施形態と同じであり、情報受け渡し装置として携帯電話１０６を使用している。
【００８５】
携帯電話１０６は本来の機能として無線通信モジュールを備えており、提供元装置１２からの通信要求に対し位置情報の応答が可能である。携帯電話１０６には、図２のメモリカード装置１０に示したと同じＣＰＵ１６、ＲＡＭ２０及びＲＯＭ２２、更にインタフェースアダプタ２４が基本的に設けられていることから、この携帯電話１０６につき図４に示すメモリカード装置１０と同じ機能を持たせることができ、その結果、本実施形態の情報受け渡し装置として、そのまま使用することができる。
【００８６】
また携帯電話１０６の場合には例えば赤外線通信機能などが標準装備されていることから、インタフェース信号線による提供元装置１２や利用先装置１４との接続は不要であり、赤外線通信を利用して個人情報の受け渡しに必要な情報伝送を非接触方式により実現することができる。
【００８７】
また本発明は、上記の実施形態に示した情報受け渡し装置であるメモリカード装置１０、無線通信モジュール付きのパーソナルコンピュータ１０２、無線通信モジュール付きのＰＤＡ１０４あるいは携帯電話１０６の各コンピュータで実行される情報受け渡しのためのプログラムを提供する。
【００８８】
この情報受け渡しのためのプログラムは、図９の情報受け渡し処理のフローチャートに示した内容を持ち、また情報受け渡し処理により利用先装置にコピーされて実行される情報監視プログラム及び終了処理プログラムは図１１，図１２のフローチャートに示した内容を持つ。
【００８９】
更に本発明は、情報受け渡し装置として使用するメモリカード装置１０、無線通信モジュール付きのパーソナルコンピュータ１０２、無線通信モジュール付きのＰＤＡ１０４及び携帯電話１０６のコンピュータで実行される情報受け渡しのためのプログラムを格納した記録媒体を提供する。
【００９０】
ここで記録媒体とは、ＣＤ−ＲＯＭ、フロッピィディスク（Ｒ）、ＤＶＤディスク、光磁気ディスク、ＩＣカードなどの可搬型記憶媒体やコンピュータシステムの内外に備えられたハードディスクドライブなどの記憶装置の他、回線を介してプログラムを保持するデータベースあるいは他のコンピュータシステム並びにそのデータベースや、更に回線上の伝送媒体を含むものである。
【００９１】
なお上記の実施形態は利用情報として不正利用や漏洩を防ぐ必要のある個人情報を例に取るものであったが、個人情報に限定されず、利用先装置においてのみ使用が許容される適宜の情報につき、これを利用情報として、上記の実施形態の個人情報とまったく同様に情報の受け渡し処理を行うことができる。
【００９２】
また上記の実施形態の情報受け渡し装置の１つであるメモリカード装置１０については、バッテリー電源部３０を内蔵しているが、提供元装置１２や利用先装置１４と接続するインタフェースとして、電源供給ができるＵＳＢインタフェースを使用した場合には、基本的にはバッテリー電源３０を内蔵する必要はない。
【００９３】
しかしながら、紛失などの際に提供元装置１２からの通信要求に対し位置情報を応答できるようにするためには電源の内蔵が必要であり、このような場合には大容量のコンデンサをメモリカード装置１０に内蔵し、ＵＳＢインタフェースの接続時に供給する電源によりコンデンサをチャージしておけばよい。
【００９４】
また本実施形態にあっては、情報受け渡し装置としてメモリカード、コンピュータ、ＰＤＡ、携帯電話を例にとっているが、これ以外に無線通信モジュールを備えた携帯型のハードディスクドライブであってもよい。
【００９５】
また、上記の実施形態は、メモリカード装置にする利用先装置からの利用開始要求と終了処理要求をデバイスフォルダ画面を操作して出す場合を例にとっているが、メモリカード装置から適宜の操作画面を利用先装置に転送表示して操作するようにしても良い。
【００９６】
また本発明は、その目的と利点を損なうことのない適宜の変形を含み、更に上記の実施形態に示した数値による限定は受けない。
【００９７】
ここで本発明の特徴をまとめて列挙すると次の付記のようになる。
（付記）
（付記１）（装置）
提供元装置から転送された利用情報を記憶する記憶部と、
利用先装置に接続した状態で利用開始要求を受信した際に、前記利用情報を前記利用先装置に転送する情報転送部と、
前記利用情報を利用先装置に転送した後に、前記利用先装置に前記利用情報の利用を監視させて利用履歴情報を記憶する処理を実行させる情報監視部と、
前記利用先装置に接続した状態で利用終了要求を受信した際に、前記利用先装置に前記利用情報を削除させた後に前記利用履歴情報を読出し転送する処理を実行させる終了処理部と、
外部装置との間で情報を送受信する無線通信モジュールと、
前記提供元装置から通信要求を受信した際に、現在の位置情報を外部の位置情報サービス装置から入手して送信する位置情報監視部と、
を備えたことを特徴とする情報受け渡し装置。（１）
【００９８】
（付記２）
付記１記載の情報受け渡し装置に於いて、
前記記憶部は、更に、前記提供元装置から転送された情報監視プログラム及び終了処理プログラムを記憶し、
前記情報監視部は、前記情報監視プログラムを利用先装置に転送して実行させることにより、前記利用情報の利用を監視して利用履歴情報を記憶し、
前記終了処理部は、前記利用情報と共に前記終了処理プログラムを前記利用先装置に転送して実行させることにより、前記利用情報を削除し、前記利用履歴情報を読出し転送し、更に前記情報監視プログラムを削除することを特徴とする情報受け渡し装置。（２）
【００９９】
（付記３）（個人情報）
付記１記載の情報受け渡し装置に於いて、前記利用情報は個人情報を含むことを特徴とする情報受け渡し装置。（３）
【０１００】
（付記４）（メモリカード、パソコン、ＰＤＡ、携帯）
付記１記載の情報受け渡し装置に於いて、前記情報受け渡し装置は、入出力インタフェース、無線通信モジュール、プロセッサ及びメモリを備えたメモリカード装置、無線通信モジュールを備えたコンピュータ装置、無線通信モジュールを備えたＰＤＡ装置、携帯電話装置、又は携帯型の磁気ディスク装置を含むことを特徴とする情報受け渡し装置。（４）
【０１０１】
（付記５）（自動解凍形式）
付記１記載の情報受け渡し装置に於いて、前記利用情報は自己解凍のデータ形式で記憶され、前記利用先装置での利用操作に伴い自動解凍されることを特徴とする情報受け渡し装置。
【０１０２】
（付記６）（個人情報の削除の詳細）
付記２記載の情報受け渡し装置に於いて、前記終了処理部は、前記終了処理プログラムを前記利用先装置に転送して実行させることにより、転送された前記利用情報を利用先装置の内部情報と比較し、前記利用情報に一致する内部情報に無効情報を埋め込むことにより削除することを特徴とする情報受け渡し装置。（５）
【０１０３】
（付記７）（方法）
提供元装置から利用先装置との間で情報を受け渡す無線通信モジュールを備えた装置の情報受け渡し方法に於いて、
提供元装置から転送された利用情報を記憶する記憶ステップと、
利用先装置に接続した状態で利用開始要求を受信した際に、前記利用情報を前記利用先装置に転送する情報転送ステップと、
前記利用情報を利用先装置に転送した後に、前記利用先装置に前記利用情報の利用を監視して利用履歴情報を記憶する処理を実行させる情報監視ステップと、
前記利用先装置に接続した状態で利用終了要求を受信した際に、前記利用先装置に前記利用情報を削除した後に前記利用履歴情報を読出して転送する処理を実行させる終了処理ステップと、
前記提供元装置から通信要求を受信した際に、現在の位置情報を外部の位置情報サービス装置から入手して送信する位置情報監視ステップと、
を備えたことを特徴とする情報受け渡し方法。（６）
【０１０４】
（付記８）（プログラムの転送実行）
付記７記載の情報受け渡し方法に於いて、
前記記憶ステップは、前記提供元装置から転送された情報監視プログラム及び終了処理プログラムを記憶し、
前記情報監視ステップは、前記情報監視プログラムを利用先装置に転送して実行させることにより、前記利用情報の利用を監視して利用履歴情報を記憶し、
前記終了処理ステップは、前記利用情報と共に前記終了処理プログラムを前記利用先装置に転送して実行させることにより、前記利用情報を削除し、前記利用履歴情報を読出し転送し、更に前記情報監視プログラムを削除することを特徴とする情報受け渡し方法。
【０１０５】
（付記９）（個人情報）
付記７記載の情報受け渡し方法に於いて、前記利用情報は個人情報を含むことを特徴とする情報受け渡し方法。
【０１０６】
（付記１０）（メモリカード、パソコン、ＰＤＡ、携帯）
付記７記載の情報受け渡し方法に於いて、前記情報受け渡しのための装置は、入出力インタフェース、無線通信モジュール、プロセッサ及びメモリを備えたメモリカード装置、無線通信モジュールを備えたコンピュータ装置、無線通信モジュールを備えたＰＤＡ装置、携帯電話装置、又は携帯型の磁気ディスク装置を含むことを特徴とする情報受け渡し方法。
【０１０７】
（付記１１）（自動解凍形式）
付記７記載の情報受け渡し方法に於いて、前記利用情報は自己解凍のデータ形式で記憶され、前記利用先装置での利用操作に伴い自動解凍されることを特徴とする情報受け渡し方法。
【０１０８】
（付記１２）（個人情報の削除の詳細）
付記９記載の情報受け渡し方法に於いて、前記終了処理ステップは、前記終了処理プログラムを前記利用先装置に転送して実行させることにより、転送された前記利用情報を利用先装置の内部情報と比較し、前記利用情報に一致する内部情報に無効情報を埋め込むことにより削除することを特徴とする情報受け渡し方法。
【０１０９】
（付記１３）（プログラム）
提供元装置から利用先装置との間で利用情報を受け渡す無線通信モジュールを備えた装置のコンピュータを、
提供元装置から転送された利用情報を記憶する記憶部、
利用先装置に接続した状態で利用開始要求を受信した際に、前記利用情報を前記利用先装置に転送する情報転送部、
前記利用情報を利用先装置に転送した後に、前記利用者装置に前記利用情報の利用を監視して利用履歴情報を記憶する処理を実行させる情報監視部、
前記利用先装置に接続した状態で利用終了要求を受信した際に、前記利用先装置に前記利用情報を削除した後に前記利用履歴情報を読出して転送する処理を実行させる終了処理部、
前記提供元装置から通信要求を受信した際に、現在の位置情報を外部の位置情報サービス装置から入手して送信する位置情報監視部、
として機能させるための情報受け渡しプログラム。（７）
【０１１０】
（付記１４）（プログラムの転送実行）
付記１３記載の情報受け渡しプログラムに於いて、
前記受け入れ記憶部は、前記情報提供装置から転送された情報監視プログラム及び終了処理プログラムを記憶し、
前記情報監視部は、前記情報監視プログラムを利用先装置に転送して実行させることにより、前記利用情報の利用を監視して利用履歴情報を記憶し、
前記終了処理部は、前記利用情報と共に前記終了処理プログラムを前記利用先装置に転送して実行させることにより、前記利用情報を削除し、前記利用履歴情報を読出して転送し、更に前記情報監視プログラムを削除することを特徴とする情報受け渡しプログラム。
【０１１１】
（付記１５）（個人情報）
付記１３記載の情報受け渡しプログラムに於いて、前記利用情報は個人情報を含むことを特徴とする情報受け渡しプログラム。
【０１１２】
（付記１６）（自動解凍形式）
付記１３記載の情報受け渡しプログラムに於いて、前記利用情報は自己解凍のデータ形式で記憶され、前記利用先装置での利用操作に伴い自動解凍されることを特徴とする情報受け渡しプログラム。
【０１１３】
（付記１７）（個人情報の削除の詳細）
付記１４記載の情報受け渡しプログラムに於いて、前記終了処理部は、前記終了処理プログラムを前記利用先装置に転送して実行させることにより、転送された前記利用情報を利用先装置の内部情報と比較し、前記利用情報に一致する内部情報に無効情報を埋め込むことにより削除することを特徴とする情報受け渡しプログラム。
【０１１４】
（付記１８）（記憶媒体）
提供元装置から利用先装置との間で利用情報を受け渡す無線通信モジュールを備えた装置のコンピュータを、
提供元装置から転送された利用情報を記憶する記憶部、
利用先装置に接続した状態で利用開始要求を受信した際に、前記利用情報を前記利用先装置に転送する情報転送部、
前記利用情報を利用先装置に転送した後に、前記利用先装置に前記利用情報の利用を監視して利用履歴情報を記憶する処理を実行させる情報監視部、
前記利用先装置に接続した状態で利用終了要求を受信した際に、前記利用先装置に前記利用情報を削除した後に前記利用履歴情報を読出し転送する処理を実行させる終了処理部、
前記提供元装置から通信要求を受信した際に、現在の位置情報を外部の位置情報サービス装置から入手して送信する位置情報監視部、
として機能させるための情報受け渡しプログラムを格納したことを特徴とするコンピュータ可読な記憶媒体。（８）
【図面の簡単な説明】
【０１１５】
【図１】情報受け渡し装置としてメモリカード装置を用いた実施形態を示した説明図
【図２】図１のメモリカード装置のハードウェア構成を示したブロック図
【図３】図１の利用先装置のハードウェア構成を示したブロック図
【図４】本実施形態のメモリカード装置の機能構成を示したブロック図
【図５】提供元装置からメモリカード装置に個人情報を入れる場合の処理機能を示した説明図
【図６】メモリカード装置から利用先装置に個人情報を受け渡す場合の処理機能を示した説明図
【図７】メモリカード装置を接続した利用先装置で開いたマイコンピュータ画面とそこから開いた情報受け渡し画面を示した説明図
【図８】利用先装置での個人情報の利用を終了させる場合の処理機能を示した説明図
【図９】本実施形態におけるメモリカード装置の情報受け渡し処理を示したフローチャート
【図１０】本実施形態における利用先装置の情報利用処理を示したフローチャート
【図１１】利用先装置で実行される情報監視処理のフローチャート
【図１２】利用先装置で実行される終了処理のフローチャート
【図１３】情報受け渡し装置としてパーソナルコンピュータを用いた他の実施形態を示した説明図
【図１４】情報受け渡し装置としてＰＤＡを用いた他の実施形態を示した説明図
【図１５】情報受け渡し装置として携帯電話を用いた他の実施形態を示した説明図
【符号の説明】
【０１１６】
１０：メモリカード装置
１２：提供元装置
１４：利用先装置
１６，３２：ＣＰＵ
１８，３４：バス
２０，３６：ＲＡＭ
２２，３８：ＲＯＭ
２４：インタフェースアダプタ
２６：インタフェースコネクタ
２８：ＰＨＳモジュール
３０：バッテリー電源部
４０：ハードディスクドライブ
４２：デバイスインタフェース
４４：キーボード
４６：マウス
４８：ディスプレイ
５０：ネットワークアダプタ
５２，７４，７８：制御部
５４，７６，８０：記憶部
５６：情報転送部
５８：情報監視部
６０：終了処理部
６２：位置情報監視部
６４，６４−１，６４−２：個人情報
６６，６６−１，６６−２：個人情報監視プログラム
６８，６８−１，６８−２：終了処理プログラム
７０，７０−１，７０−２：利用履歴情報
７２：位置情報
７８，９２：インタフェース信号線
８２：アプリケーション
８４：印刷ドライバ
８６：メール処理部
８８：メール送信部
９０：コピー処理部
９４：マイコンピュータ画面
９６：情報受け渡しフォルダ画面
９８：個人情報利用開始フォルダ
１００：個人情報利用終了フォルダ
１０２：パーソナルコンピュータ
１０４：ＰＤＡ
１０６：携帯電話
【図１】
2008217390.tif 000003
【図２】
2008217390.tif 000004
【図３】
2008217390.tif 000005
【図４】
2008217390.tif 000006
【図５】
2008217390.tif 000007
【図６】
2008217390.tif 000008
【図７】
2008217390.tif 000009
【図８】
2008217390.tif 000010
【図９】
2008217390.tif 000011
【図１０】
2008217390.tif 000012
【図１１】
2008217390.tif 000013
【図１２】
2008217390.tif 000014
【図１３】
2008217390.tif 000015
【図１４】
2008217390.tif 000016
【図１５】
2008217390.tif 000017